【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
画像センサと、前記画像センサ上に光を結像させるためのレンズアセンブリと、少なくとも１つの照射光源を備えた対象領域上に照射パターンを投影するための照射パターン生成システムと、少なくとも１つの照準光源を備えた照準パターンを投影するための照準パターン生成システムと、を有する画像サブシステムを備えた光学読取装置撮像モジュールであって、
前記照準パターンは前記対象領域上に投影され、さらに前記照準光源は、前記照射光源の可視光発光波長帯域とは異なる可視光発光波長帯域の光を放射するように選択されて、前記照準光源からの光にて投影される前記照準パターンが、前記照射光源からの光にて投影される前記照準パターンと可視色コントラストをなすものとなることを特徴とする光学読取装置撮像モジュール。
【請求項２】
前記少なくとも１つの照射光源は可視赤色波長帯域の光を放射するように選択されたＬＥＤであり、前記照準光源は可視緑色波長帯域の光を放射するように選択されたＬＥＤであることをさらに特徴とする請求項１記載の光学読取装置撮像モジュール。
【請求項３】
前記少なくとも１つの照射光源は可視白色波長帯域の光を放射するように選択され、前記照準光源は白色波長帯域内の狭い波長帯域の光を放射するように選択されることをさらに特徴とする請求項１記載の光学読取装置撮像モジュール。
【請求項４】
前記モジュールは、該モジュールの受光路に配置されたカラーフィルタを備えることをさらに特徴とする請求項１記載の光学読取装置撮像モジュール。
【請求項５】
前記少なくとも１つの照射源と前記少なくとも１つの照準光源の少なくとも一方は、多色発光ＬＥＤからなることをさらに特徴とする請求項１記載の光学読取装置撮像モジュール。
【請求項６】
前記多色発光光源は、少なくとも２つの単独で駆動可能な発光素子を有することをさらに特徴とする請求項５記載の光学読取装置撮像モジュール。
【請求項７】
前記撮像サブシステムと協同して作動する制御システムによってさらに特徴づけられる請求項６記載の光学読取装置撮像モジュール。
【請求項８】
前記制御回路は前記対象に関する現在の状態を検知するようになされていることをさらに特徴とし、かつ該制御回路は前記検知された状態に応じて前記多色光源によって放射される色を変えるようになされている請求項７記載の光学読取装置撮像モジュール。
【請求項９】
前記撮像システムがカラー画像センサを備えることをさらに特徴とし、前記制御回路は前記対象内に存在している色を検知するようになされ、該制御回路はさらに前記検知された色状態に応じて前記多色発光源によって放射される色を変えるようになされている請求項７記載の光学読取装置撮像モジュール。
【請求項１０】
前記制御回路は、前記読取装置の動作モードが変わると、前記少なくとも１つの多色発光源によって放射される色を変えるようになされている請求項７記載の光学読取装置撮像モジュール。
【請求項１１】
前記制御回路は、前記読取装置の動作モードが復号化試行モードから正常復号モードに変わると、前記少なくとも１つの多色発光源によって放射される色を変化させて、前記少なくとも１つの多色発光源によって放射される色の変化が良好な読取を示すようになされている請求項７記載の光学読取装置撮像モジュール。
【請求項１２】
前記多色照射光源は、それぞれ単独駆動可能な複数のＬＥＤダイを有するタイプの多色発光ＬＥＤであり、前記制御回路は１組のＬＥＤダイ駆動信号を前記ＬＥＤダイに供給することによって、前記多色発光源によって放射される特定の色を設定する請求項７記載の光学読取装置撮像モジュール。
【請求項１３】
前記多色発光源は照射光源であり、前記制御回路は、第１の色を用いた第１の復号試行が失敗であった場合には第２の復号試行の前に前記多色ＬＥＤによって放射される色を前記第１の色から第２の色に変更するようになされている請求項７記載の光学読取装置撮像モジュール。
【請求項１４】
前記制御回路は、前記第２の復号試行が成功した場合には前記第２の色を設定する信号をセーブしておくようになされ、該制御回路はさらに、前記信号を供給して第２の復号モードを行うようになされている請求項１３記載の光学読取装置撮像モジュール。
【請求項１５】
前記照準パターンは直線パターンであることをさらに特徴とした請求項１記載の光学読取装置撮像モジュール。
【請求項１６】
前記直線パターンが水平向きである請求項１５記載の光学読取装置撮像モジュール。
【請求項１７】
前記照準パターンが分割された直線パターンである請求項１記載の光学読取装置撮像モジュール。
【請求項１８】
前記分割直線パターンは、対象領域内の読取装置の視野境界を実質的に越えて延びることはない請求項１７記載の光学読取装置撮像モジュール。
【請求項１９】
前記分割直線パターンは、少なくとも２つの線状パターン部からなる請求項１７記載の光学読取装置撮像モジュール。
【請求項２０】
前記照準パターンは、直線的に配置された複数の光点である請求項１記載の光学読取装置撮像モジュール。
【請求項２１】
前記照準パターン光は、折れ曲がった光路に沿って広がる請求項１記載の光学読取装置撮像モジュール。
【請求項２２】
光路折り曲げ光学素子と、開口結像光学要素との光学的な中間に配置された照準パターン開口によってさらに特徴づけられる請求項２１記載の光学読取装置撮像モジュール。
【請求項２３】
光路折り曲げ光学素子と、開口結像光学要素の両方の光学的に後方に配置された照準パターン開口によってさらに特徴づけられる請求項２１記載の光学読取装置撮像モジュール。
【請求項２４】
前記結像要素はプリズム素子からなることをさらに特徴とする請求項２３記載の光学読取装置撮像モジュール。
【請求項２５】
前記画像センサは１次元画像センサである請求項１記載の光学読取装置撮像モジュール。
【請求項２６】
前記画像センサは２次元画像センサである請求項１記載の光学読取装置撮像モジュール。
【請求項２７】
第１の回路基板と、
第２の回路基板と、
前記回路基板の一方に搭載された画像センサと、
前記回路基板の一方に搭載された光源と、
前記第１の回路基板と第２の回路基板の間に挿置された支持アセンブリと、
前記第１の回路基板、第２の回路基板、及び前記支持アセンブリのそれぞれに定義され、互いにほぼ位置合わせされた柱穴と、
前記第１および第２の回路基板、および前記支持アセンブリを支持するために、前記位置合わせされた柱穴のそれぞれを少なくとも部分的に貫通して延びる支柱と、からなる撮像モジュール。
【請求項２８】
請求項２７記載の撮像モジュールにおいて、
上記支柱は上記第１および第２の回路基板にはんだ付けされている、
ことを特徴とする撮像モジュール。
【請求項２９】
請求項２７記載の撮像モジュールにおいて、
上記支柱は導電性であり、前記第１の回路基板と第２の回路基板との間の電気的通信を提供するように配置される、
ことを特徴とする撮像モジュール。
【請求項３０】
請求項２７記載の撮像モジュールにおいて、
複数の支柱を上記モジュールに収容するために、上記第１の回路基板、第２の回路基板、および支持アセンブリのそれぞれにおいて複数の柱穴が形成されている、
ことを特徴とする撮像モジュール。
【請求項３１】
請求項２７記載の撮像モジュールにおいて、
上記複数の柱穴は導電性であり、前記第１の回路基板と第２の回路基板との間の電気的通信を提供するように配置される、
ことを特徴とする撮像モジュール。